(57)【特許請求の範囲】
【請求項１】
入力端子側と出力側端子にはそれぞれ９０°ハイブリッドが接続され、
前記入力側の９０°ハイブリッドと出力側の９０°ハイブリッド間には、一端が接地された第1と第２のダイオードが挿入され、
前記第1と第２のダイオードと前記入力側９０°ハイブリッドとの間には周波数特性を設定するとともに直流阻止用の第1と第２のコンデンサが挿入され、
前記出力側の９０°ハイブリッドのアイソレーションポートからは前記第1と第２のダイオードにバイアス電圧を印加して共通バイアス電流を供給することにより減衰度が調整され、
前記入力側９０°ハイブリッドには、前記入力端子に対して、直流電流を重畳するための低域通過フィルタが挿入され、
前記入力側および出力側９０°ハイブリッドのアイソレーションポートでは、直流阻止用コンデンサを介して高周波的に終端抵抗により終端して成ることを特徴とするバランス型ダイオード減衰器。
【発明の詳細な説明】
【０００１】
【発明の属する技術分野】
本発明は減衰器、特に高周波信号を減衰するダイオードを使用するバランス型減衰器に関する
【０００２】
【従来の技術】
減衰器は、アナログ電気回路の基本構成素子の１つであり、各種回路に広く採用されている。斯かる減衰器では、減衰量を最小にした時の通過損失（以下、デッドロスという）を最小に抑え且つ減衰量が変化しても、反射ロスをなくすることが重要な要素の１つである。この目的のために、π型アッテネータ（減衰）回路にＰＩＮダイオードを用い減衰器を構成するのが一般的である。しかしながら、斯かる従来技術では、π型アッテネータ回路自体のデッドロスが大きいため、デッドロスに重点を置いた減衰器として十分とはいえない。
【０００３】
そこで、例えば特開昭６０―２５６２５４号公報には、９０°ハイブリッドを用いたバランス型ダイオード減衰器が開示されている。この従来技術は、ダイオードが接地（ＧＮＤ）と並列に挿入されているため、ダイオードのパッケージ損失がなく、デッドロスは９０°ハイブリッドのみになり、デッドロスが低く抑えるという問題において一応の効果を奏している。
【０００４】
【発明が解決しようとする課題】
しかしながら、上述した従来のバランス型ダイオード減衰器は、逆に個々のダイオードに各々独立したバイアス回路を設けている。これは、温度補償回路等を個々に構成しなければならないので、構成が複雑且つ高価になるという解決されるべき課題があった。
【０００５】
【発明の目的】
従って、本発明の目的の１つは、低デッドロス且つバイアス回路の共通化を可能にするバランス型ダイオード減衰器を提供することである。また、本発明の他の目的は、ダイオード回路自体の周波数特性を調整でき且つ入力側および出力側の９０°ハイブリッドをＤＣ的に切り離し、入力ポートおよび出力ポートに向け、直流電流を重畳できるバランス型減衰器を提供することである。
【０００６】
【課題を解決するための手段】
本発明によるバランス型ダイオード減衰器は、
入力端子側と出力側端子にはそれぞれ９０°ハイブリッドが接続され、
前記入力側の９０°ハイブリッドと出力側の９０°ハイブリッド間には、一端が接地された第1と第２のダイオードが挿入され、
前記第1と第２のダイオードと前記入力側９０°ハイブリッドとの間には周波数特性を設定するとともに直流阻止用の第1と第２のコンデンサが挿入され、
前記出力側の９０°ハイブリッドのアイソレーションポートからは前記第1と第２のダイオードにバイアス電圧を印加して共通バイアス電流を供給することにより減衰度が調整され、
前記入力側９０°ハイブリッドには、前記入力端子に対して、直流電流を重畳するための低域通過フィルタが挿入され、
前記入力側および出力側９０°ハイブリッドのアイソレーションポートでは、直流阻止用コンデンサを介して高周波的に終端抵抗により終端して構成されている。
【０００８】
【発明の実施の形態】
以下、本発明によるバランス型ダイオード減衰器の好適実施形態例の構成および動作を、添付図を参照して詳細に説明する。
【０００９】
図１は、本発明によるバランス型ダイオード減衰器（以下、単に減衰器という）の好適実施形態例の回路図である。この減衰器は、入力端子１、出力端子２、コンデンサ３、４、７、８、１０、終端抵抗９、１１および直流重畳回路２０より構成される。入力端子１は、夫々直列接続されたコンデンサおよびダイオード（ＰＩＮダイオード）３−５、４−６を介して接地される。これら両ダイオード５、６のアノードは、共通接続されてバイアス電圧１２が印加されると共に上述したコンデンサ７を介して出力端子２に接続され且つ上述したコンデンサ８および終端抵抗９の直列回路を介して接地される。入力端子１は、上述したコンデンサ１０および終端抵抗１１の直列回路を介して接地され、更に直流重畳回路２０が接続されている。直流重畳回路２０は、直列された１対のインダクタ（コイル）２１、２２およびこれらインダクタ２１、２２の中点と接地間に接続されたコンデンサ２３を有し、インダクタ２２の一端には直流電圧２４が印加される。
【００１０】
上述した１対のダイオード５、６を中心に、それらのダイオード５、６の非接地端には、入力側および出力側９０°ハイブリッド３０ａおよび３０ｂが接続される。換言すると、入力側の９０°ハイブリッド３０ａと出力側の９０°ハイブリッド３０ｂの間には、上述したダイオード５、６が挿入されている。これら両ダイオード５、６と入力側９０°ハイブリッド３０ａとの間に挿入されたコンデンサ３、４は、任意の値に選択され、この減衰器自体の周波数特性を調整する。また、これらコンデンサ３、４は、入力側および出力側９０°ハイブリッド３０ａおよび３０ｂの直流阻止（ＤＣカット）の機能を担っている。この減衰器では、出力側９０°ハイブリッド１２のアイソレーションポートからダイオード５、６にバイアス電圧を印加している。これによって、両ダイオード５、６を１個の共通バイアス回路でバイアス電流を流し、それらのダイナミック抵抗を制御して、減衰器の減衰度を調整可能にする。このため、温度補償回路等の簡素化が実現できると共に個別に温度補償回路を設けた場合における回路の温度特性のばらつき等を排除可能にする。
【００１１】
また、上述の如く入力側および出力側９０°ハイブリッド３０ａおよび３０ｂは、周波数調整用コンデンサ３、４で相互に切り離されているため、入力側９０°ハイブリッド３０ａには、上述したバイアス電圧１２とは全く別の直流電圧２４を印加することができる。図１に示す好適実施形態例では、入力側アイソレーションポートから、入力端子（ポート）１に対して、直流電流２４を重畳できるように回路構成している。即ち、アイソレーションポートに、直流重畳回路２０の低域通過フィルタ（ＬＰＦ）を挿入し、直流電流を重畳している。また、入力側および出力側９０°ハイブリッド３０ａおよび３０ｂのアイソレーションポートには、直流阻止用コンデンサ１０、８を介して高周波（ＲＦ）的に終端抵抗１１、９により入出力端子１、２を希望する特性インピーダンス（抵抗）で終端している。
【００１２】
上述の説明から明らかな如く、本発明によるバランス型ダイオード減衰器は、１対のダイオード５、６の入力側に直流阻止および周波数特性調整用コンデンサ３、４を介して入力側９０°ハイブリッド３０ａを接続すると共に出力側に９０°ハイブリッド３０ｂを接続する。そして、入力端子１および出力端子２は、夫々所定インピーダンスで終端されると共に独立した直流電圧２４およびバイアス電圧１２が印加可能である。バイアス電圧１２は、両ダイオード５、６に共通に印加される。尚、入力端子１側への直流電圧２４は、インダクタ２１、２２およびコンデンサ２３を含むＬＰＦである直流重畳回路２０を介して印加するので、入力端子１における高周波信号が漏洩又は分流するのを効果的に阻止することが可能である。
【００１３】
尚、上述の好適実施形態例は、本発明の単なる例示に過ぎず、何等本発明を限定するものではないと理解するべきである。本発明の技術思想を逸脱することなく特定用途に応じて種々の変形変更が可能であること、当業者には容易に理解できよう。
【００１４】
【発明の効果】
上述の説明から明らかな如く、本発明のバランス型ダイオード減衰器は、回路構成が比較的簡単であり、安価に構成することが可能であると共に回路パラメータを選択することにより減衰度、周波数特性および直流電圧等の電気的諸特性を任意に選定可能であるという実用上の顕著な効果が得られる。
【図面の簡単な説明】
【図１】本発明によるバランス型ダイオード減衰器の好適実施形態例の構成を示す回路図である。
【符号の説明】
１              入力端子（ポート）
２              出力端子（ポート）
３、４、７、８、１０、２３  コンデンサ
５、６          ダイオード（ＰＩＮダイオード）
９、１１        終端抵抗
１２            バイアス電圧
２０            直流重畳回路
２１、２２      インダクタ
２４            直流電圧
３０ａ          入力側９０°ハイブリッド
３０ｂ          出力側９０°ハイブリッド
【図１】
0003769443.tif 000002